(57)【要約】【課題】  駆動回路の増加に伴うコストアップを避けて、確実に書き込み放電を行えながらも走査期間を短縮することにより良好な画像を表示する。【解決手段】  開示されるプラズマ表示装置の主要部を構成するＰＤＰ１０は、列方向Ｖに隣接して形成されているセル群の内例えばセル（ｎ−１）、セルｎ、及びセル（ｎ＋１）の３つのセルに例をあげると、例えば中央のセルｎは上部に隣接しているセル（ｎ−１）の走査電極５（ｎ−１）と配線１８を介して電気的に接続されたプライミング電極（補助電極）１７（Ｓｎ−１´）を備える電極配置になっている。【選択図】図４
2005050675.tif 000002
【特許請求の範囲】
【請求項１】
第１の基板と第２の基板とが対向配置されて両基板間に放電ガス空間が形成され、前記第１の基板の内面に行方向に互いに平行な走査電極と維持電極とから成る行電極群が配置されると共に、前記第２の基板の内面に前記行電極群と直交するように列方向にデータ電極から成る列電極群が配置され、前記行電極群と前記列電極群との交点に単位セル群が形成されて成るプラズマディスプレイパネルを主要部として含むプラズマ表示装置であって、
前記単位セル群の少なくとも１つの単位セルは、前記列方向の他の単位セルの前記走査電極と電気的に接続された補助電極を備えることを特徴とするプラズマ表示装置。
【請求項２】
前記単位セル群の少なくとも１つの単位セルは、前記列方向に隣接している他の単位セルの前記走査電極と電気的に接続された補助電極を備えることを特徴とする請求項１記載のプラズマ表示装置。
【請求項３】
前記単位セル群の内、先頭行以外の全ての単位セルは、前記走査電極、前記維持電極、前記データ電極及び前記補助電極を備えることを特徴とする請求項１又は２記載のプラズマ表示装置。
【請求項４】
前記単位セル群の内、先頭行の単位セルは、前記走査電極、前記維持電極、前記データ電極及び前記補助電極以外の独立した補助電極を備えることを特徴とする請求項１又は２記載のプラズマ表示装置。
【請求項５】
前記第１の基板に形成された前記補助電極に対向する部分の前記第２の基板に形成された誘電体層の厚さが、前記第１の基板に形成された前記走査電極に対向する部分の前記誘電体層の厚さよりも大きいことを特徴とする請求項１乃至４のいずれか１に記載のプラズマ表示装置。
【請求項６】
前記補助電極に対向する部分の前記誘電体層中に、前記データ電極とは別のセル共通電極を備えることを特徴とする請求項５記載のプラズマ表示装置。
【請求項７】
前記補助電極は、１つの前記単位セルの前記走査電極から他の複数の単位セルにわたって引き出されることを特徴とする請求項１乃至６のいずれか１に記載のプラズマ表示装置。
【請求項８】
前記補助電極が、遮光性金属から成ることを特徴とする請求項１乃至７のいずれか１に記載のプラズマ表示装置。
【請求項９】
前記補助電極の上部が遮光されることを特徴とする請求項１乃至７のいずれか１に記載のプラズマ表示装置。
【請求項１０】
第１の基板と第２の基板とが対向配置されて両基板間に放電ガス空間が形成され、前記第１の基板の内面に行方向に互いに平行な走査電極と維持電極とから成る行電極群が配置されると共に、前記第２の基板の内面に前記行電極群と直交するように列方向にデータ電極から成る列電極群が配置され、前記行電極群と前記列電極群との交点に単位セル群が形成されて、該単位セル群の少なくとも１つの単位セルは、前記列方向に隣接している他の単位セルの前記走査電極と電気的に接続された補助電極を備えるプラズマディスプレイパネルの駆動方法であって、
前記走査電極に走査パルスを印加したとき、前記データ電極にデータパルスの印加の有無にかかわらず、前記補助電極を含む全ての単位セルにおいて、前記補助電極と前記単位セルのいずれかの電極との間に印加される電圧が放電開始電圧以上になることを特徴とするプラズマディスプレイの駆動方法。
【請求項１１】
第１の基板と第２の基板とが対向配置されて両基板間に放電ガス空間が形成され、前記第１の基板の前記第２の基板と対向する面には行方向に沿って互いに平行に形成された走査電極と維持電極とから成る行電極群が配置される一方、前記第２の基板の前記第１の基板と対向する面には前記行方向と直交する列方向に沿ってデータ電極から成る列電極群が配置され、前記行電極群と前記列電極群との交点に単位セル群が形成されて、該単位セル群の少なくとも１つの単位セルは、前記列方向に沿って隣接している他の単位セルの前記走査電極と電気的に接続された補助電極を有しているプラズマディスプレイパネルの駆動方法であって、
前記行方向に沿って任意の行を走査したとき、該行のデータ書き込みの有無にかかわらず、該行の走査電極に接続された前記補助電極に印加される電圧により、前記行方向に沿った他の行に含まれる単位セルにおいて、前記補助電極と前記単位セル内のいずれかの電極との間に印加される電圧が放電開始電圧以上になることを特徴とするプラズマディスプレイの駆動方法。
【請求項１２】
前記走査電極と前記データ電極との間の放電開始電圧よりも、前記補助電極と前記データ電極との間の放電開始電圧の方が小さいことを特徴とする請求項１０又は１１記載のプラズマディスプレイの駆動方法。
【請求項１３】
前記走査電極に走査パルスを印加したとき、前記データ電極にデータパルスの印加の有無にかかわらず、前記補助電極を含む全ての単位セル内において、前記補助電極と前記単位セル内のいずれかの電極との間で必ず放電を起こすような電圧を設定することを特徴とする請求項１０、１１又は１２記載のプラズマディスプレイの駆動方法。
【請求項１４】
前記行方向に沿った走査行を２つ以上含む複数のブロックに分け、任意のブロックに対して最初にデータ書き込みが行われる行の走査電極が、該行のデータ書き込みを行う書き込み電極として作用するだけでなく、前記ブロックの全ての行のセルに対しても前記補助電極として作用することを特徴とする請求項１０乃至１３のいずれか１に記載のプラズマディスプレイの駆動方法。
【請求項１５】
前記補助電極を備える前記走査電極に印加される走査パルスの時間が、前記走査電極が含まれるブロック内の前記走査電極に印加される走査パルスの時間よりも長いことを特徴とする請求項１３記載のプラズマディスプレイの駆動方法。
【発明の詳細な説明】
【技術分野】
【０００１】
この発明は、プラズマ表示装置及びプラズマディスプレイパネル（Plasma Display Panel：以下、ＰＤＰとも称する）の駆動方法に係り、詳しくは、走査期間の短縮を図るようにしたプラズマ表示装置及びＰＤＰの駆動方法に関する。
【背景技術】
【０００２】
一般に、ＰＤＰを主要部として含むプラズマ表示装置は、従来から広く用いられているＣＲＴ(Cathode Ray Tube)、あるいは液晶表示装置等のディスプレイ装置と比較して、ちらつきが少なく表示コントラスト比が大きいこと、薄型で大画面化が可能であること、応答速度が速いこと等の多くの利点を有しているために、近年コンピュータのような情報処理機器、平面テレビジョン等のディスプレイ装置として利用されてる。
【０００３】
このプラズマ表示装置は、動作方式により、ＰＤＰの表示電極（後述する走査電極と維持電極とから構成される行電極）が透明誘電体層で被覆されて間接的に交流放電の状態で動作させるＡＣ型のものと、表示電極が放電空間に露出されて直流放電の状態で動作させるＤＣ型のものとに略大別されるが、特に前者は比較的簡単な構造で上述したような大画面化が容易に実現できるので広く用いられている。そのようなＰＤＰは、それぞれガラス等の透明材料から成る前面基板（第１の基板）及び背面基板（第２の基板）が対向するように配置されて、両基板間にプラズマを発生させる放電ガス空間が形成される基本的な構成を有している。
【０００４】
また、上述のＡＣ型プラズマ表示装置の中でも、ＰＤＰの放電セルを形成する上記一対の基板の内の一方の基板である前面基板の内面に、水平方向（行方向）に互いに平行に走査電極と維持電極（共通電極）とから成る行電極（表示電極）群が配置されると共に、他方の基板である背面基板の内面に、上記行電極群と直交するように垂直方向（列方向）にデータ電極（アドレス電極）から成る列電極が配置された３電極面放電型の構成のものは、前面基板の内面において行われる面放電時に発生する高エネルギのイオンが背面基板の内面に形成されている蛍光体層を衝撃することがないので、長寿命化が図れるため最も広く採用されている。また、このような３電極面放電型のＡＣ型プラズマ表示装置において、ＰＤＰの背面基板の内面に赤色、緑色及び青色の各蛍光体層を配置するように構成して多色発光を可能にしたカラープラズマ表示装置が提供されている。
【０００５】
図２７は、上述した３電極面放電型のＡＣ型プラズマ表示装置において、一般に知られているＰＤＰ１００の電極配置の概略構成を示す平面図である。同ＰＤＰの電極配置は、同図に示すように、上述したような前面基板の内面に行方向Ｈに互いに平行に配置されたｎ本の走査電極１０５（Ｓ１、Ｓ２、Ｓ３…）と維持電極（共通電極）１０６（Ｃ）とから成る行電極（表示電極）群と、背面基板の内面に行電極群と直交するように列方向Ｖに沿って配置されたｎ本のデータ電極（アドレス電極）１１３（Ｄ１、Ｄ２、Ｄ３…）から成る列電極群とを含んでいる。そして、行電極群と列電極群との交点にそれぞれ１つの単位セル１３０（以下、単にセルとも称する）が形成されて、行方向Ｈ及び列方向Ｖにマトリクス状にセル群が形成されている。モノクロ表示の場合は１つのセルにより１つの画素が構成され、カラー表示の場合は３つのセル（赤色Ｒ、緑色Ｇ及び青色Ｂ発光セル）により１つの画素が構成されている。また、図３１及び図３２に示すように、走査電極１０５と維持電極１０６とが２本ずつ交互に配置されている電極配置も知られている。
【０００６】
図２８は、図２７のＰＤＰ１００の電極配置の一部の概略構成を示す平面図である。ここでは、列方向Ｖに隣接して形成されたセル（ｎ−１）、セルｎ、及びセル（ｎ＋１）の３つのセルに例をあげて示している。例えば、中央位置のセルｎは互いに平行な走査電極１０５（Ｓｎ）及び維持電極１０６（ｃ）と、これらの電極と直交するデータ電極１１３（Ｄｍ）との３電極を有している。
【０００７】
次に、上述のＰＤＰ１００を図２９の駆動波形を用いて駆動する方法について説明する。ＰＤＰにおいて１画面を表示する期間（１／６０秒）である１フィールドは、図２９に示すように、サブフィールドＴ１が複数組み合わされて構成される。ここで、各サブフィールドＴ１は、後述するように階調表示を行うために設けられている。また、１フィールドＴ１は、予備放電期間Ｔ２と走査期間Ｔ３と維持期間Ｔ４とから構成される。ＰＤＰを駆動するには、走査期間Ｔ３で前面基板の各走査電極１０５に走査パルスＰ８を印加すると同時に、背面基板のデータ電極１１３にデータパルスＰ９を印加することにより放電（点灯）すべきセルを選択する書き込み放電を行い、続いて維持期間Ｔ４で走査電極１０５と維持電極１０６との間で上記選択したセルの面放電による維持放電を行うような制御がなされる。このような放電の有無は、前面基板の表示電極を覆うように形成されている透明誘電体層上に壁電荷と称される電荷を形成し、あるいは電荷を消去して、この電荷量を制御することで決定する。ここで、放電セル（点灯セル）と非放電セル（非点灯セル）との区別は、走査期間Ｔ３で書き込み放電を行う際に、電圧の異なる２種類のデータパルスを用いて行う。例えば、図２９の走査期間Ｔ３において、数１０ＶのデータパルスＰ９が印加されたセルは点灯し、一方、０Ｖすなわちデータパルスが印加されないセルは非点灯となる。
【０００８】
維持期間Ｔ４では、すべてのセルの走査電極１０５と維持電極１０６との間に交互に維持電圧パルス群１０を印加して、走査期間Ｔ３で点灯させたセルのみに維持放電を生じさせて表示を行う。維持放電後には、予備放電期間Ｔ２で次のサブフィールドにおいて書き込み放電を行う準備のために、点灯したすべてのセルに対して維持消去パルスＰ５を印加して、維持放電で形成された壁電荷を消去するための予備放電を行う。また、予備放電期間Ｔ２では次の書き込み放電を行い易くするために予備放電に続いて、すべてのセルに対してプライミングパルスＰ６、Ｐ７を印加して、プライミング放電を行う。なお、以上では説明を理解し易くするために、予備放電期間Ｔ２における予備放電及びプライミング放電に先立って、走査期間Ｔ３における書き込み放電及び維持期間Ｔ４における維持放電について説明したが、１サブフィールドＴ１では、図２９に示したような順序で各放電が行われる。
【０００９】
次に、図３０を参照して階調表示について説明する。ＰＤＰでは明るさのレベルに応じて十分な階調表示を行うために、図３０に示すように、１画面を表示する期間である１フィールドＴ（６２）を複数のサブフィールドにより、例えばＴ６３〜Ｔ７０の８つのサブフィールドにより構成する。そして、各サブフィールドＴ６３〜Ｔ７０は、前述したように、それぞれ予備放電期間Ｔ２と走査期間Ｔ３と維持期間Ｔ４とから構成される。ここで、各サブフィールドＴ６３〜Ｔ７０の維持期間の長さは異なるように設定されて、図３０の例では、それぞれが１：２：４：８：１６：３２：６４：１２８の重みを有するように設定される。したがって、この例では階調０から階調２５５までの２５６（２8）段階の階調表示が行われることになる。これは、輝度比が１００階調であれば４、３２、６４の階調のサブフィールドを発光させればよいことになる。この例では、２５６階調表示を行うために８つのサブフィールドを設定したが、冗長性を持たせて９以上のサブフィールドを組み合わせる場合もある。
【００１０】
ところで、プラズマ表示装置の主要部を構成しているＰＤＰの表示を行う場合、画面の明るさである発光輝度を決定するのは各サブフィールドＴ１における維持期間Ｔ４の時間、すなわち、維持放電の時間（あるいは放電回数）なので、できるだけその時間を長く確保することが必要になる。しかしながら、現実には、ＰＤＰはますます大画面化の傾向にあり、これに伴ってセル（画素）の数が増加してくるので、従来のような構造及び駆動方法のままＰＤＰの高精細化を進めていくと、必然的に書き込み放電のための走査期間Ｔ３がサブフィールドＴ１内に占める割合が大きくなってくるのが避けられなくなる。そして、その分だけ維持期間が短くなる。
【００１１】
一例として、図３０に示したような、８サブフィールド２５６階調の例では、表示画面がＸＧＡ（Extended Video Graphics Array）クラス（走査線数７６８）になると、１回の書き込み放電を行うために必要な走査パルスＰ８の時間を２マイクロ秒（μｓ）としたときの１秒間（１フィールドの時間）に占める走査期間Ｔ３の時間を計算すると次のようになる。
Ｔ３＝２（μｓ）×７６８（走査線）×８（サブフィールド）×６０
≒０．７３７３秒
したがって、この場合の走査期間Ｔ３は１フィールドの２／３秒以上を占めることになる。ここで、表示画面が下位クラスのＶＧＡ（Video Graphics Array）（走査線数４８０）の場合は、上記式に基づいてＴ３≒０．４６０８秒となるので、高精細化を図るほど１フィールド内で走査期間Ｔ３が占める割合は大幅に増加するのが理解される。この結果、維持期間Ｔ４に割り当てられる時間が短くなるので、前述したように十分な発光輝度を得ることができなくなる。したがって、書き込み放電を行う走査期間を短くすることにより発光輝度を落さずにＰＤＰの高精細化を図り、あるいは精細化はそのままでも発光輝度を高めることが要望されている。
【００１２】
ここで、従来のようなＰＤＰの構造及び駆動方法のままで、１回の書き込み放電に必要な走査パルスＰ８の時間を短くすることで走査期間Ｔ３の全体を短縮して、その分維持期間Ｔ４を長くする方法が考えられている。しかしながら、この方法では書き込み放電が不十分なセルが現れるため、点灯すべきセルが非点灯になって、良好な画像が表示されない問題が生ずる。
【００１３】
また、ＰＤＰの画面を上下に２分割して上下画面にデータ電極を割り当てて、それぞれで走査を行うことにより走査期間Ｔ３を半分に短縮するようにしたデュアルスキャン方式が提供されている。しかしながら、この方式では走査期間Ｔ３を半分にできるものの、各データ電極を駆動する回路数が増加してしまうので、結果的にコストアップになってしまう問題が生ずる。
【００１４】
また、ＰＤＰの構造及び駆動方法を変更することにより、走査パルスＰ８の時間を短くして走査期間Ｔ３の全体を短縮するようにしたＰＤＰ及びその駆動方法が開示されている（例えば、特許文献１）。同ＰＤＰの駆動方法は、図３３（ａ）に示すように、予め前面ガラス基板１３３の内面に互いに平行に走査電極１１１及び維持電極１１２と共に、第１補助放電電極１４１及び第２補助放電電極１４２を設けたＰＤＰを用いて、走査電極１１１に走査パルスが印加される毎に、両補助放電電極１４１、１４２間で補助放電を発生させる。そして、図３３（ｂ）に示すように、その補助放電により空間電荷を発生させて、図３３（ｃ）に示すように、走査電極１１１に走査パルスが印加されると同時に、データ電極１３５にデータパルスが印加される際に、その空間電荷を利用して書き込み放電を短時間に行うようにする。
【特許文献１】特開２００２−２９７０９１号公報
【発明の開示】
【発明が解決しようとする課題】
【００１５】
ところで、特許文献１記載の従来のＰＤＰ及びその駆動方法では、新たに設けた第１及び第２補助放電電極にも複雑な駆動波形を印加する必要があるので、駆動回路の増加によりコストアップが避けられない、という問題がある。
すなわち、特許文献１記載のＰＤＰ及びその駆動方法では、前述したような従来技術のように書き込み放電が不十分なセルが現れるのを防止することで、あるいは画面を上下に分割するような複雑な構成を不要にすることで良好な画像を表示可能になるが、新たに第１補助放電電極１４１と第２補助放電電極１４２とを設けて、両補助放電電極１４１、１４２間に補助放電を発生させるための複雑な駆動波形を印加する必要があるので、駆動回路の増加に伴ってコストアップになる。
【００１６】
この発明は、上述の事情に鑑みてなされたもので、駆動回路の増加に伴うコストアップを避けて、確実に書き込み放電を行えながらも走査期間を短縮することにより良好な画像を表示することができるようにしたプラズマ表示装置及びプラズマディスプレイパネルの駆動方法を提供することを目的としている。
【課題を解決するための手段】
【００１７】
上記課題を解決するために、請求項１記載の発明は、第１の基板と第２の基板とが対向配置されて両基板間に放電ガス空間が形成され、上記第１の基板の内面に行方向に互いに平行な走査電極と維持電極とから成る行電極群が配置されると共に、上記第２の基板の内面に上記行電極群と直交するように列方向にデータ電極から成る列電極群が配置され、上記行電極群と上記列電極群との交点に単位セル群が形成されて成るプラズマディスプレイパネルを主要部として含むプラズマ表示装置に係り、上記単位セル群の少なくとも１つの単位セルは、上記列方向の他の単位セルの上記走査電極と電気的に接続された補助電極を備えることを特徴としている。
【００１８】
また、請求項２記載の発明は、請求項１記載のプラズマ表示装置に係り、上記単位セル群の少なくとも１つの単位セルは、上記列方向に隣接している他の単位セルの上記走査電極と電気的に接続された補助電極を備えることを特徴としている。
【００１９】
また、請求項３記載の発明は、請求項１又は２記載のプラズマ表示装置に係り、上記単位セル群の内、先頭行以外の全ての単位セルは、上記走査電極、上記維持電極、上記データ電極及び上記補助電極を備えることを特徴としている。
【００２０】
また、請求項４記載の発明は、請求項１又は２記載のプラズマ表示装置に係り、上記単位セル群の内、先頭行の単位セルは、上記走査電極、上記維持電極、上記データ電極及び上記補助電極以外の独立した補助電極を備えることを特徴としている。
【００２１】
また、請求項５記載の発明は、請求項１乃至４のいずれか１に記載のプラズマ表示装置に係り、上記第１の基板に形成された上記補助電極に対向する部分の上記第２の基板に形成された誘電体層の厚さが、上記第１の基板に形成された上記走査電極に対向する部分の上記誘電体層の厚さよりも大きいことを特徴としている。
【００２２】
また、請求項６記載の発明は、請求項５記載のプラズマ表示装置に係り、上記補助電極に対向する部分の上記誘電体層中に、上記データ電極とは別のセル共通電極を備えることを特徴としている。
【００２３】
また、請求項７記載の発明は、請求項１乃至６のいずれか１に記載のプラズマ表示装置に係り、上記補助電極は、１つの単位セルの上記走査電極から他の複数の単位セルにわたって引き出されることを特徴としている。
【００２４】
また、請求項８記載の発明は、請求項１乃至７のいずれか１に記載のプラズマ表示装置に係り、上記補助電極が、遮光性金属から成ることを特徴としている。
【００２５】
また、請求項９記載の発明は、請求項１乃至７のいずれか１に記載のプラズマ表示装置に係り、上記補助電極の上部が遮光されることを特徴としている。
【００２６】
また、請求項１０記載の発明は、第１の基板と第２の基板とが対向配置されて両基板間に放電ガス空間が形成され、上記第１の基板の内面に行方向に互いに平行な走査電極と維持電極とから成る行電極群が配置されると共に、上記第２の基板の内面に上記行電極群と直交するように列方向にデータ電極から成る列電極群が配置され、上記行電極群と上記列電極群との交点に単位セル群が形成されて、該単位セル群の少なくとも１つの単位セルは、上記列方向に隣接している他の単位セルの上記走査電極と電気的に接続された補助電極を備えるプラズマディスプレイパネルの駆動方法に係り、上記走査電極に走査パルスを印加したとき、上記データ電極にデータパルスの印加の有無にかかわらず、上記補助電極を含む全ての単位セルにおいて、上記補助電極と上記単位セルのいずれかの電極との間に印加される電圧が放電開始電圧以上になることを特徴としている。
【００２７】
また、請求項１１記載の発明は、第１の基板と第２の基板とが対向配置されて両基板間に放電ガス空間が形成され、上記第１の基板の上記第２の基板と対向する面には行方向に沿って互いに平行に形成された走査電極と維持電極とから成る行電極群が配置される一方、上記第２の基板の上記第１の基板と対向する面には上記行方向と直交する列方向に沿ってデータ電極から成る列電極群が配置され、上記行電極群と上記列電極群との交点に単位セル群が形成されて、該単位セル群の少なくとも１つの単位セルは、上記列方向に沿って隣接している他の単位セルの上記走査電極と電気的に接続された補助電極を有しているプラズマディスプレイパネルの駆動方法に係り、上記行方向に沿って任意の行を走査したとき、該行のデータ書き込みの有無にかかわらず、該行の走査電極に接続された上記補助電極に印加される電圧により、上記行方向に沿った他の行に含まれる単位セルにおいて、上記補助電極と上記単位セル内のいずれかの電極との間に印加される電圧が放電開始電圧以上になることを特徴としている。
【００２８】
また、請求項１２記載の発明は、請求項１０又は１１記載のプラズマディスプレイの駆動方法に係り、上記走査電極と上記データ電極との間の放電開始電圧よりも、上記補助電極と上記データ電極との間の放電開始電圧の方が小さいことを特徴としている。
【００２９】
また、請求項１３記載の発明は、請求項１０、１１又は１２記載のプラズマディスプレイの駆動方法に係り、上記走査電極に走査パルスを印加したとき、上記データ電極にデータパルスの印加の有無にかかわらず、上記補助電極を含む全ての単位セル内において、上記補助電極と上記単位セル内のいずれかの電極との間で必ず放電を起こすような電圧を設定することを特徴としている。
【００３０】
また、請求項１４記載の発明は、請求項１０乃至１３のいずれか１に記載のプラズマディスプレイの駆動方法に係り、上記行方向に沿った走査行を２つ以上含む複数のブロックに分け、任意のブロックに対して最初にデータ書き込みが行われる行の走査電極が、該行のデータ書き込みを行う書き込み電極として作用するだけでなく、上記ブロックの全ての行のセルに対しても上記補助電極として作用することを特徴としている。
【００３１】
また、請求項１５記載の発明は、請求項１３記載のプラズマディスプレイの駆動方法に係り、上記補助電極を備える上記走査電極に印加される走査パルスの時間が、上記走査電極が含まれるブロック内の上記走査電極に印加される走査パルスの時間よりも長いことを特徴としている。
【発明の効果】
【００３２】
この発明のプラズマ表示装置及びＰＤＰの駆動方法によれば、例えば注目したセルｎを点灯させる場合には、列方向Ｖに隣接して形成されている他のセル（ｎ−１）の走査電極５（Ｓｎ−１）に印加した走査パルスＰ８を同時にセルｎのプライミング電極（Ｓｎ−１´）１７に対しても印加して、次に、セルｎの走査電極５（Ｓｎ）及びデータ電極１３（Ｄ）に対して同時に走査パルスＰ８及びデータパルスＰ９を印加することにより、走査電極５（Ｓｎ）とデータ電極１３（Ｄ）との間に放電開始電圧を越えるような大きさの電圧を印加してセルｎの書き込み放電を行うようにしたので、セルｎの書き込み放電を素早く行うことができる。
【発明を実施するための最良の形態】
【００３３】
走査期間においてセルに走査パルスを印加するときは、データパルスの印加の有無にかかわらず、走査電極とデータ電極との間に放電開始電圧を越えるような大きさの電圧が印加されるように設定される。このような設定により、点灯すべきセルには、データパルスが印加されることにより強い放電が生じて書き込み放電が行われるので、透明誘電体層に大きな壁電荷が蓄積される。したがって、この点灯セルに対しては、次の維持期間において維持放電が行われる。一方、点灯させたくないセル（非点灯セル）には、データパルスが印加されないので、上述したような放電開始電圧を越えるような大きさの電圧が印加されても、強い放電は生じないため書き込み放電が行われず、透明誘電体層に大きな壁電荷が蓄積されない。したがって、非点灯セルに対しては、次の維持期間において維持放電が行われない。
【実施例１】
【００３４】
図１は、この発明の第１実施例であるプラズマ表示装置の主要部を構成するＰＤＰの概略構成を示す斜視図、図２は図１のＡ−Ａ矢視断面図、図３は図１のＢ−Ｂ矢視断面図、また、図４は同ＰＤＰの一部の電極配置の概略構成を示す平面図、図５は同ＰＤＰの駆動方法を概略的に示す側面図、図６は第１、第２及び第３実施例の同ＰＤＰを駆動するための電圧波形の一部を示す図である。
この例のプラズマ表示装置の主要部を構成するＰＤＰ１０は、図１〜図３に示すように、前面基板（第１の基板）１と、背面基板（第２の基板）２とが対向するように配置されて、両基板１、２間に放電ガス空間３が形成される基本的な構成を有している。
【００３５】
ここで、前面基板１は、例えばソーダライムガラス等の透明材料から成る厚さが２〜５ｎｍの第１の絶縁基板４と、第１の絶縁基板４の内面に行方向Ｈに互い平行に配置され放電ギャップ７を介して対向するように形成されて一対の行電極を構成する、それぞれＩＴＯ(Indium Tin Oxide)、酸化錫（ＳｎＯ2）等から成る膜厚が１００〜５００ｎｍの透明電極５Ａ、６Ａ及びこれら透明電極５Ａ、６Ａの一部にそれぞれ抵抗を小さくするために形成されたＡｇ（銀）、Ａｌ（アルミニウム）あるいはＣｒ（クロム）／Ｃｕ（銅）／Ｃｒ多層薄膜等の金属材料から成るバス電極（トレース電極）５Ｂ、６Ｂから構成された走査電極５及び維持電極（共通電極）６と、走査電極５と維持電極６とから構成される行電極を被覆する低融点鉛ガラス等から成る膜厚が２０〜４０μｍの透明誘電体層８と、透明誘電体層８を放電から保護するＭｇＯ（酸化マグネシウム）等から成る膜厚が０．５〜２．０μｍの保護層９とを備えている。
【００３６】
上記透明誘電体層８は、低融点鉛ガラスぺースト等を行電極を覆うように塗布した後、そのペーストの軟化点以上の温度で焼成することにより形成される。また、保護層９は、放電を行うのに必要な壁電荷を形成するために設けられ、ＭｇＯ等をスパッタ法、蒸着法等により形成される。
【００３７】
一方、背面基板２は、例えばソーダライムガラス等の透明材料から成る厚さが２〜５ｎｍの第２の絶縁基板１２と、第２の絶縁基板１２の内面に行方向Ｈと直交する列方向Ｖに形成されてＡｇ、Ａｌ、Ｃｕ等から成る膜厚が２〜４μｍのデータ電極（アドレス電極）１３と、データ電極１３を被覆する白色顔料が混入された低融点鉛ガラス等から成る膜厚が５〜４０μｍの白色誘電体層１４と、Ｈｅ（ヘリウム）、Ｎｅ（ネオン）、Ａｒ（アルゴン）、Ｋｒ（クリプトン）、Ｘｅ（キセノン）、Ｎ2（窒素）、Ｏ2（酸素）、ＣＯ2（二酸化炭素）等のガスが混合された放電用ガスが充填され上記放電ガス空間３を確保するとともに、個々の放電セルを区切るために列方向Ｖに形成された鉛含有フリットガラス等から成る井形の隔壁１５と、隔壁１５の底面及び壁面を覆う位置に形成され放電用ガスの放電により発生する紫外線を可視光に変換する蛍光体層１６とを備えている。
【００３８】
上記白色誘電体層１４は、白色顔料として酸化チタン粉末やアルミナ粉末等を混入した低融点鉛ガラスぺースト等をデータ電極１３を覆うように塗布した後、焼成することにより形成される。また、隔壁１５は、鉛含有フリットガラスペースト等を用いたスクリーン印刷法やサンドブラスト法等により形成される。また、蛍光体層１６は、蛍光体材料を含んだペーストをスクリーン印刷法等により塗布した後、焼成することにより形成される。この蛍光体層１６は、光の３原色である赤色、緑色及び青色を発光する各蛍光体材料を用いてセル毎に塗り分けることにより、カラー表示のＰＤＰを得ることができる。
上述の前面基板１及び背面基板２を、ギャップを隔てて対向した状態でシール材料で貼りあわせて固定した後、３００〜５００℃でベーキングし、続いて放電ガス空間３内を排気して上記のような放電用ガスを、２００〜７００Torr(Torricelli)で充填してＰＤＰ１０を完成させる。
【００３９】
ここで、この例のＰＤＰ１０の電極配置は、図４に示すように、列方向Ｖに隣接して形成されているセル群の内例えばセル（ｎ−１）、セルｎ及びセル（ｎ＋１）の３つのセルに例をあげて説明すると、例えば中央のセルｎは上部に隣接しているセル（ｎ−１）の走査電極５（Ｓｎ−１）と配線１８を介して電気的に接続されたプライミング電極（補助電極）１７（Ｓｎ−１´）を有している。同様にして、例えば下部のセル（ｎ＋１）は上部に隣接しているセルｎの走査電極５（Ｓｎ）と配線１８を介して電気的に接続されたプライミング電極１７（Ｓｎ´）（補助電極）を有している。すなわち、この例のＰＤＰ１０は、列方向Ｖに隣接して形成されているセル群の各セルの走査電極５が、隣接しているセル内に延長して存在していることを特徴としている。
【００４０】
このように、この例のＰＤＰ１０によれば、前面基板１と背面基板２とが対向配置されて両基板１、２間に放電ガス空間３が形成され、前面基板１の内面に行方向に互いに平行な走査電極５と維持電極６とから成る行電極群が配置されると共に、背面基板２の内面に行電極群と直交するように列方向にデータ電極１３から成る列電極群が配置され、行電極群と列電極群との交点に単位セル群が形成されて成る構成において、セル群の少なくとも１つのセルｎは、列方向Ｖに隣接している他のセル（ｎ−１）の走査電極５（Ｓｎ−１）と電気的に接続されたプライミング電極１７（Ｓｎ−１）を有しているので、後述するように簡単な構成で所望のセルの書き込み放電を素早く行わせることができる。
【００４１】
次に、図５及び図６を参照してこの例のＰＤＰの駆動方法について説明する。なお、図６の駆動波形は図２９の駆動波形の走査期間のみを抜き出して示している。この例のＰＤＰの駆動方法では、後述するように、走査期間においてセルに走査パルスを印加するときは、データパルスの印加の有無にかかわらず、走査電極とデータ電極との間に放電開始電圧を越えるような大きさの電圧が印加されるように設定される。このような設定により、点灯すべきセルには、データパルスが印加されることにより強い放電が生じて書き込み放電が行われるので、透明誘電体層に大きな壁電荷が蓄積される。したがって、この点灯セルに対しては、次の維持期間において維持放電が行われる。一方、点灯させたくないセル（非点灯セル）には、データパルスが印加されないので、上述したような放電開始電圧を越えるような大きさの電圧が印加されても、強い放電は生じないため書き込み放電が行われず、透明誘電体層に大きな壁電荷が蓄積されない。したがって、非点灯セルに対しては、次の維持期間において維持放電が行われない。以下、セルｎに着目して、走査期間における書き込み放電の動作について順次説明する。
【００４２】
（１）セル（ｎ−１）及びセルｎを点灯させる場合
図５（ａ）に示すように、図４の電極配置に対応したＰＤＰの構成において、セル（ｎ−１）の走査電極５（Ｓｎ−１）及びデータ電極１３（Ｄ）に対して同時に図６に示すような走査パルスＰ８及びデータパルスＰ９を印加することにより、図５（ｂ）に示すようにセル（ｎ−１）は放電ガス空間３内に大きな放電が生じるので、書き込み放電が行われて点灯する。同時に、走査電極５（Ｓｎ−１）に印加した走査パルスＰ８はセルｎのプライミング電極１７（Ｓｎ−１´）に対しても印加されるので、図５（ｂ）に示すようにセルｎの放電ガス空間３内にも放電が生じる。しかし、この放電は弱いので、この時点ではセルｎに書き込み放電が行われない。次に、図６に示すように、セルｎの走査電極５（Ｓｎ）及びデータ電極１３（Ｄ）に対して同時に走査パルスＰ８及びデータパルスＰ９を印加すると、セル（ｎ）は強い放電が生じるので、書き込み放電が行われて点灯する。このようなセルｎの書き込み放電時に、先にプライミング電極走査１７（Ｓｎ−１´）に対して印加された走査パルスＰ８により走査電極５（Ｓｎ）とデータ電極１３（Ｄ）との間に放電開始電圧を越えるような大きさの電圧が印加されるようになり、この電圧がプライミング電圧として働くようになるので、プライミング放電が起きて、セルｎの書き込み放電は素早く行われるようになる。この結果として、走査パルスＰ８の時間が短くても、セルｎの書き込み放電を確実に行うことができるので、実質的に走査期間を短縮することができるようになる。一例として、走査パルスＰ８の時間は、従来の略２μｓから略１．５μｓに短くすることができる。
【００４３】
（２）セル（ｎ−１）を点灯、セルｎを非点灯とする場合
セル（ｎ−１）は、上記（１）の場合と同様な動作で、図５（ｂ）に示すように放電ガス空間３内に大きな放電が生じるので、書き込み放電が行われて点灯する。また、セルｎも、上記（１）の場合と同様な動作で、図５（ｂ）に示すように弱い放電が生じる。しかしながら、この後にセルｎに対してはデータ電極１３（Ｄ）にデータパルスＰ９が印加されないので、走査電極５（Ｓｎ）とデータ電極１３（Ｄ）との間に前述のような放電開始電圧を越えるような大きさの電圧が印加されても、セルｎは弱い放電を維持したままなので、書き込み放電が行われないため非点灯となる。
【００４４】
（３）セル（ｎ−１）を非点灯、セルｎを点灯させる場合
セル（ｎ−１）の走査電極５（Ｓｎ−１）に走査パルス８を印加しても、データ電極１３（Ｄ）にはデータパルスＰ９が印加されないので、セル（ｎ−１）は図５（ｃ）に示すように弱い放電開始状態にあるので非点灯となる。このときは放電開始に必要な時間が長くなるので、走査パルスＰ８に割り当てられた時間では、セルｎにプライミング電極１７によりプライミング放電を確実に起こすことができない。しかし、プライミング放電を起こすことができなくとも、セルｎはプライミング電極１７に印加された走査パルスＰ８により図５（ｃ）に示すように弱い放電開始状態にある。次に、図６に示すように、セルｎの走査電極５（Ｓｎ）及びデータ電極１３（Ｄ）に対して同時に走査パルスＰ８及びデータパルスＰ９を印加すると、セル（ｎ）には先の走査パルスＰ８と今回の走査パルスＰ８との２パルス分が続けて印加されるので、走査電極５（Ｓｎ）とデータ電極１３（Ｄ）との間に放電開始電圧を越えるような大きさの電圧が印加されるようになり、セル（ｎ）は強い放電が生じるので、書き込み放電が行われて点灯する。しかも、セルｎの書き込み放電は、上述のように２パルス分が続けて印加されるため素早く行われるようになり、走査パルスＰ８の時間が短くても、セルｎの書き込み放電を確実に行うことができるので、実質的に走査期間を短縮することができるようになる。
【００４５】
（４）セル（ｎ−１）及びセルｎを非点灯とする場合
セル（ｎ−１）の走査電極５（Ｓｎ−１）に走査パルス８を印加しても、データ電極１３（Ｄ）にはデータパルスＰ９が印加されないので、セル（ｎ−１）は非点灯となる。同様にして、セル（ｎ）の走査電極５（Ｓｎ）に走査パルスＰ８を印加しても、データ電極１３（Ｄ）にはデータパルスＰ９が印加されないので、セル（ｎ）も非点灯となる。
【００４６】
上述したように、上記（１）、（３）で点灯したセルｎは、その透明誘電体層に大きな壁電荷が蓄積されているので、次の維持期間において維持放電が行われるので画像の表示が行われるようになる。
【００４７】
このように、この例のＰＤＰ１０の駆動方法によれば、上記（１）、（３）の動作で説明したように、例えば注目したセルｎを点灯させる場合には、列方向Ｖに沿って隣接して形成されている他のセル（ｎ−１）の走査電極５（Ｓｎ−１）に印加した走査パルスＰ８を同時にセルｎのプライミング電極１７（Ｓｎ−１´）に対しても印加して、次に、セルｎの走査電極５（Ｓｎ）及びデータ電極１３（Ｄ）に対して同時に走査パルスＰ８及びデータパルスＰ９を印加することにより、走査電極５（Ｓｎ）とデータ電極１３（Ｄ）との間に放電開始電圧を越えるような大きさの電圧を印加してセルｎの書き込み放電を行うようにしたので、セルｎの書き込み放電を素早く行うことができる。
また、この例のプラズマ表示装置によれば、前面基板１と背面基板２とが対向配置されて両基板１、２間に放電ガス空間３が形成され、前面基板１の内面に行方向に互いに平行な走査電極５と維持電極６とから成る行電極群が配置されると共に、背面基板２の内面に行電極群と直交するように列方向にデータ電極１３から成る列電極群が配置され、行電極群と列電極群との交点に単位セル群が形成されて成るプラズマディスプレイパネルを主要部として含む構成において、セル群の少なくとも１つのセルｎは、列方向Ｖに隣接している他の単位セル（ｎ−１）の走査電極５（Ｓｎ−１）と電気的に接続されたプライミング電極１７（Ｓｎ−１）を備えているので、簡単な構成でセルｎの書き込み放電を素早く行わせることができる。
したがって、駆動回路の増加に伴うコストアップを避けて、確実に書き込み放電を行えながらも走査期間を短縮することにより良好な画像を表示することができる。
【実施例２】
【００４８】
図７は、この発明の第２実施例であるプラズマ表示装置の主要部を構成するＰＤＰ及びその駆動方法を概略的に示す側面図である。この例のＰＤＰの構成が、上述した第１実施例の構成と大きく異なるところは、前面基板に形成された走査電極及びプライミング電極にそれぞれ対向する背面基板の白色誘電体層の厚さが、走査電極に対向する部分の厚さよりもプライミング電極に対向する部分のそれの方が大きくなるように形成されている点である。
【００４９】
すなわち、この例のＰＤＰ１９は、図７（ａ）に示すように、前面基板１の第１の絶縁基板８に形成された例えばセル（ｎ−１）、セルｎ及びセル（ｎ＋１）の３つのセルのそれぞれの走査電極５（Ｓｎ−１）、５（Ｓｎ）及び５（Ｓｎ−１）に対向する部分の背面基板２の白色誘電体層１４の厚さよりも、各セルのそれぞれのプライミング電極１７（Ｓｎ−２´）、１７（Ｓｎ−１´）及び１７（Ｓｎ´）に対向する部分の白色誘電体層１４の厚さの方が大きくなるように形成されている。ただし、この白色誘電体層１４の厚さは略同様な材料により構成される隔壁１５の一部を含めて示している。また、セル（ｎ＋１）の構成は一部を省略して示している。このように両者の厚さ関係を設定することにより、それぞれにおける放電開始電圧の大きさを異ならせることができ、白色誘電体層１４の厚さの方が大きくなっているプライミング電極１７（Ｓｎ−２´）、１７（Ｓｎ−１´）及び１７（Ｓｎ´）に対向する部分では、他の部分よりも放電開始電圧が小さくなると考えられる。そこで、データパルスが印加されないときの走査パルスの印加時に、走査電極とデータ電極との間には放電が起きず、走査電極とデータ電極との間は放電開始電圧を越えるような対向ギャップに設計しておく。この結果として、この発明の目的を達成することができるようになる。
【００５０】
次に、図７を参照してこの例のＰＤＰの駆動方法について説明する。なお、図６の第１実施例で用いた駆動波形はそのまま用いるものとする。以下、セルｎに着目して、走査期間における書き込み放電の動作について順次説明する。
【００５１】
（１）セル（ｎ−１）及びセルｎを点灯させる場合
セル（ｎ−１）の走査電極５（Ｓｎ−１）及びデータ電極１３（Ｄ）に対して同時に図６に示すような走査パルスＰ８及びデータパルスＰ９を印加することにより、図７（ｂ）に示すようにセル（ｎ−１）は放電ガス空間３内に大きな放電が生じるので、書き込み放電が行われて点灯する。同時に、走査電極５（Ｓｎ−１）に印加した走査パルスＰ８はセルｎのプライミング電極１７（Ｓｎ−１´）に対しても印加されるので、図７（ｂ）に示すようにセルｎの放電ガス空間３内にも弱い放電が生じる。次に、図６に示すように、セルｎの走査電極５（Ｓｎ）及びデータ電極１３（Ｄ）に対して同時に走査パルスＰ８及びデータパルスＰ９を印加すると、セル（ｎ）は強い放電が生じるので、書き込み放電が行われて点灯する。このようなセルｎの書き込み放電時に、先にプライミング電極１７（Ｓｎ−１´）に対して印加された走査パルスＰ８により走査電極５（Ｓｎ）とデータ電極１３（Ｄ）との間に放電開始電圧を越えるような大きさの電圧が印加されるようになり、この電圧がプライミング電圧として働くようになるので、プライミング放電が起きて、セルｎの書き込み放電は素早く行われるようになる。この結果として、走査パルスＰ８の時間が短くても、セルｎの書き込み放電を確実に行うことができるので、実質的に走査期間を短縮することができるようになる。
【００５２】
（２）セル（ｎ−１）を点灯、セルｎを非点灯とする場合
セル（ｎ−１）は、上記（１）の場合と同様な動作で、図７（ｂ）に示すように放電ガス空間３内に大きな放電が生じるので、書き込み放電が行われて点灯する。また、セルｎも、上記（１）の場合と同様な動作で、図７（ｂ）に示すように弱い放電が生じる。しかしながら、この後にセルｎに対してはデータ電極１３（Ｄ）にデータパルスＰ９が印加されないので、走査電極５（Ｓｎ）とデータ電極１３（Ｄ）との間に前述のような放電開始電圧を越えるような大きさの電圧が印加されても、セルｎは弱い放電を維持したままなので、書き込み放電が行われないため非点灯となる。
【００５３】
（３）セル（ｎ−１）を非点灯、セルｎを点灯させる場合
セル（ｎ−１）の走査電極５（Ｓｎ−１）に走査パルスＰ８を印加しても、データ電極１３（Ｄ）にはデータパルスＰ９が印加されないので、セル（ｎ−１）は図７（ｃ）に示すように非点灯となる。一方、セルｎはプライミング電極１７に印加された走査パルスＰ８により図７（ｃ）に示すように弱い放電開始状態にある。このときは放電開始に必要な時間が長くなるので、走査パルスＰ８に割り当てられた時間では、セルｎにプライミング電極１７によりプライミング放電を確実に起こすことができないが、セルｎはプライミング電極１７に印加された走査パルスＰ８により図７（ｃ）に示すように弱い放電開始状態にある。次に、図６に示すように、セルｎの走査電極５（Ｓｎ）及びデータ電極１３（Ｄ）に対して同時に走査パルスＰ８及びデータパルスＰ９を印加すると、セル（ｎ）には先の走査パルスＰ８と今回の走査パルスＰ８との２パルス分が続けて印加されるので、走査電極５（Ｓｎ）とデータ電極１３（Ｄ）との間に放電開始電圧を越えるような大きさの電圧が印加されるようになり、セル（ｎ）は強い放電が生じるので、書き込み放電が行われて点灯する。しかも、セルｎの書き込み放電は、上述のように２パルス分が続けて印加されるため素早く行われるようになり、走査パルスＰ８の時間が短くても、セルｎの書き込み放電を確実に行うことができるので、実質的に走査期間を短縮することができるようになる。
【００５４】
（４）セル（ｎ−１）及びセルｎを非点灯とする場合
セル（ｎ−１）の走査電極５（Ｓｎ−１）に走査パルスＰ８を印加しても、データ電極１３（Ｄ）にはデータパルスＰ９が印加されないので、セル（ｎ−１）は非点灯となる。同様にして、セル（ｎ）の走査電極５（Ｓｎ）に走査パルスＰ８を印加しても、データ電極１３（Ｄ）にはデータパルスＰ９が印加されないので、セル（ｎ）も非点灯となる。
これ以外は上述した第１実施例と略同様である。それゆえ、図７において、図５の構成部分と対応する各部には、同一の番号を付してその説明を省略する。
【００５５】
上述したように、上記（１）、（３）で点灯したセルｎは、第１実施例と同様にその透明誘電体層に大きな壁電荷が蓄積されているので、次の維持期間において維持放電が行われるので画像の表示が行われるようになる。
【００５６】
このように、この例の構成によっても第１実施例と略同様な効果を得ることができる。
【実施例３】
【００５７】
図８は、この発明の第３実施例であるプラズマ表示装置の主要部を構成するＰＤＰの概略構成を示す側面図である。この例のＰＤＰの構成が、上述した第２実施例の構成と大きく異なるところは、背面基板の白色誘電体層のプライミング電極に対向する部分に各セルに共通にセル共通電極が形成されている点である。
すなわち、この例のＰＤＰ２１は、図８に示すように、第２実施例のように前面基板１の第１の絶縁基板８に形成された例えばセル（ｎ−１）、セルｎ及びセル（ｎ＋１）の３つのセルのそれぞれの走査電極５（Ｓｎ−１）、５（Ｓｎ）及び５（Ｓｎ−１）に対向する部分の背面基板２の白色誘電体層１４の厚さよりも、各セルのそれぞれのプライミング電極１７（Ｓｎ−２´）、１７（Ｓｎ−１´）及び１７（Ｓｎ´）に対向する部分の白色誘電体層１４の厚さの方が大きくなるように形成されている構成において、それぞれのプライミング電極１７（Ｓｎ−２´）、１７（Ｓｎ−１´）及び１７（Ｓｎ´）に対向する部分の白色誘電体層１４にはセル共通電極２０が形成されている。セル共通電極２０には一つの電源が設けられる。また、ＰＤＰの駆動時には図６の駆動波形がそのまま用いられる。
【００５８】
この例では、このようにＰＤＰを構成することにより、プライミング電極１７とセル共通電極２０との間の電圧は、データ電極１３に印加されるデータパルスにかかわらず一定となる。したがって、セル共通電極２０にある程度の電圧を印加することにより、データパルスの有無にかかわらず確実にプライミング放電を起こすことができるようになる。ここで、セル共通電極２０に印加する電圧を低くしておくことで、走査パルスとセル共通電極２０に印加される電圧との重畳電圧を放電開始電圧を少し越える程度に設定しても、第１実施例あるいは第２実施例で説明したように走査パルスの時間を短くすることができる。
【００５９】
このように、この例の構成によっても第２実施例と略同様な効果を得ることができる。
【実施例４】
【００６０】
図９は、この発明の第４実施例であるプラズマ表示装置の主要部を構成するＰＤＰの電極配置の概略構成を示す平面図、図１０は同ＰＤＰの概略構成を示す側面図、図１１は第４、第５及び第６実施例の同ＰＤＰを駆動するための電圧波形の一部を示す図、図１２は同ＰＤＰの変形例を概略的に示す側面図である。この例のＰＤＰの構成が、上述した第１実施例の構成と大きく異なるところは、列方向に隣接して形成されているセル群の一つ置きのセルにプライミング電極を形成するようにした点である。
すなわち、この例のＰＤＰ２２の電極配置は、図９に示すように、列方向Ｖに隣接して形成されているセル群の内例えばセル（ｎ＋１）、セル（ｎ＋２）セル（ｎ＋３））及びセル（ｎ＋４）の４つのセルに例をあげて説明すると、例えばセル（ｎ＋２）は上部に隣接しているセル（ｎ＋１）の走査電極５（Ｓｎ−１）と配線１８を介して電気的に接続されたプライミング電極１７（Ｓｎ−１´）を有し、またセル（ｎ＋４）は上部に隣接しているセル（ｎ＋３）の走査電極５（Ｓｎ＋１）と配線１８を介して電気的に接続されたプライミング電極１７（Ｓｎ＋１´）を有している。すなわち、この例のＰＤＰ２２は、列方向Ｖに隣接して形成されているセル群の一つ置きのセルの走査電極が、隣接しているセル内に延長して存在していることを特徴としている。
【００６１】
次に、図１０及び図１１を参照してこの例のＰＤＰの駆動方法について説明する。なお、図１１の駆動波形は図２９の駆動波形の走査期間のみを抜き出して示している。以下、セルｎからセル（ｎ＋３）について、走査期間における書き込み放電の動作について順次説明する。セル（ｎ＋１）の走査電極５（Ｓｎ−１）にはセル（ｎ＋２）のプライミング電極１７（Ｓｎ−１´）が接続されているので、走査電極５（Ｓｎ−１）に走査パルス印加されたときは、セル（ｎ＋２）も放電開始状態となる。ここで、セル（ｎ＋１）は十分に時間の長い走査パルスが印加されているので、データパルスの有無にかかわらず放電が起きる。このとき、セル（ｎ＋２）にはプライミング放電が起きるので、セル（ｎ＋２）に印加する走査パルス（Ｓｎ＋２）の時間が短くとも十分に書き込み放電を起こすことができる。
【００６２】
したがって、走査電極５（Ｓｎ＋１）に印加する走査パルスＰ８の時間が長くとも、走査電極５（Ｓｎ＋２）に印加する走査パルスＰ８の時間を短くすることで、全体として走査期間を短縮することができる。なお、この例においては、図１２の変形例に示すように、走査電極５（Ｓｎ＋１）とプライミング電極１７（Ｓｎ＋１´）とが接続された状態でも、同様な効果が得られる。なお、図１２の変形例では維持電極６も隣同士のセルで接続されているが、図１０に示すように接続されていなくとも同様に動作する。
【００６３】
このように、この例の構成によっても第１実施例と略同様な効果を得ることができる。
【実施例５】
【００６４】
図１３は、この発明の第５実施例であるプラズマ表示装置の主要部を構成するＰＤＰの概略構成を示す側面図、図１４は同ＰＤＰの変形例を概略的に示す側面図である。この例のＰＤＰの構成が、上述した第４実施例の構成と大きく異なるところは、その構成に第２実施例の構成を組み合わせるようにした点である。
すなわち、この例のＰＤＰ２３の電極配置は、図１３に示すように、図７の第２実施例の構成に図１０の第４実施例の構成が組み合わせられている。この例のＰＤＰ２３を駆動するには、第４実施例と同様に、走査期間において、プライミング電極１７（Ｓｎ−１´）が接続された走査電極５（Ｓｎ−１）に印加する走査パルスＰ８よりも、プライミング電極を有しない走査電極５（Ｓｎ）に印加する走査パルスＰ８を短くするようにする。このよう構成により、走査電極５（Ｓｎ＋１）に印加する走査パルスＰ８の時間が長くとも、走査電極５（Ｓｎ＋２）に印加する走査パルスＰ８の時間を短くすることにより、全体として走査期間を短縮することができる。なお、この例においては、図１４の変形例に示すように、走査電極５（Ｓｎ＋１）とプライミング電極１７（Ｓｎ＋１´）とが接続された状態でも、同様な効果が得られる。なお、図１４の変形例では維持電極６も隣同士のセルで接続されているが、図１３に示すように接続されていなくとも同様に動作する。
【００６５】
このように、この例の構成によっても第４実施例と略同様な効果を得ることができる。
【実施例６】
【００６６】
図１５は、この発明の第６実施例であるプラズマ表示装置の主要部を構成するＰＤＰの概略構成を示す側面図、図１６は同ＰＤＰの変形例を概略的に示す側面図である。この例のＰＤＰの構成が、上述した第５実施例の構成と大きく異なるところは、その構成に第３実施例の構成を組み合わせるようにした点である。
すなわち、この例のＰＤＰ２４の電極配置は、図１５に示すように、図８の第３実施例の構成に図１３の第５実施例の構成が組み合わせられている。この例のＰＤＰ２３を駆動するには、第５実施例と同様に、走査期間において、プライミング電極１７（Ｓｎ−１´）が接続された走査電極５（Ｓｎ−１）に印加する走査パルスＰ８よりも、プライミング電極を有しない走査電極５（Ｓｎ）に印加する走査パルスＰ８を短くするようにする。このような構成により、走査電極５（Ｓｎ＋１）に印加する走査パルスＰ８の時間が長くとも、走査電極５（Ｓｎ＋２）に印加する走査パルスＰ８の時間を短くすることにより、全体として走査期間を短縮することができる。なお、この例においては、図１６の変形例に示すように、走査電極５（Ｓｎ＋１）とプライミング電極１７（Ｓｎ＋１´）とが接続された状態でも、同様な効果が得られる。なお、図１６の変形例では維持電極６も隣同士のセルで接続されているが、図１５に示すように接続されていなくとも同様に動作する。
【００６７】
このように、この例の構成によっても第４実施例と略同様な効果を得ることができる。
【実施例７】
【００６８】
図１７は、この発明の第７実施例であるプラズマ表示装置の主要部を構成するＰＤＰの電極配置の概略構成を示す平面図、図１８は同ＰＤＰの概略構成を示す側面図、図１９は第７、第８及び第９実施例の同ＰＤＰを駆動するための電圧波形の一部を示す図、図２０は同ＰＤＰの変形例を概略的に示す側面図である。この例のＰＤＰの構成が、上述した第１実施例の構成と大きく異なるところは、一つの走査電極から複数のプライミング電極が引き出されるようにした点である。
すなわち、この例のＰＤＰ２５の電極配置は、図１７及び図１８に示すように、例えばセル（ｎ＋１）の走査電極５（Ｓｎ＋１）からセル（ｎ＋２）のプライミング電極１７（Ｓｎ＋１´）、セル（ｎ＋３）のプライミング電極１７（Ｓｎ＋２´）、…が引き出されるように構成されている。引き出されるプライミング電極の数は２つ以上であればいくつでもよい。
【００６９】
次に、この例のＰＤＰ２４の駆動方法を図１９を参照して説明する。この例では、プライミング電極１７（Ｓｎ＋１´）、１７（Ｓｎ＋２´）、…に接続された走査電極５（Ｓｎ＋１）に印加する走査パルスＰ８の時間よりも、プライミング電極が接続されない走査電極１７（Ｓｎ＋２）等に印加する走査パルスＰ８の時間を短くするように構成されている。また、この時間の短い走査パルスＰ８の時間は同じである必要はなく、異なる何種類かに設定してもよい。次に、セル（ｎ＋１）からセル（ｎ＋７）について説明する。セル（ｎ＋１）の走査電極５（Ｓｎ＋１）にはセル（ｎ＋２）からセル（ｎ＋７）まで放電開始状態にある。ここで、セル（ｎ＋１）には十分に時間の長い走査パルスＰ８が印加されているので、データパルスＰ９の有無にかかわらず、セル（ｎ＋２）からセル（ｎ＋７）まではプライミング放電が起きる。このプライミング放電は数１０μs保持されるので、セル（ｎ＋２）からセル（ｎ＋７）に印加する走査電極５（Ｓｎ＋２）〜（Ｓｎ＋６）に印加する走査パルスＰ８の時間は短くとも十分に書き込み放電を起こすことができる。したがって、走査電極５（Ｓｎ＋１）に印加する走査パルスＰ８の時間が長くとも、走査電極５（Ｓｎ＋２）〜（Ｓｎ＋６）に印加する走査パルスＰ８の時間を短くすることで、全体として走査期間を短縮することができる。なお、この例においては、図２０の変形例に示すように、走査電極５（Ｓｎ＋１）から分かれるプライミング電極１７をセル（ｎ＋２）からセル（ｎ＋５）まで延長してもよい。この変形例の構成でも、同様な効果が得られる。
【００７０】
このように、この例の構成によっても第１実施例と略同様な効果を得ることができる。
【実施例８】
【００７１】
図２１は、この発明の第８実施例であるプラズマ表示装置の主要部を構成するＰＤＰの概略構成を示す側面図である。この例のＰＤＰの構成が、上述した第７実施例の構成と大きく異なるところは、その構成に第２実施例の構成を組み合わせるようにした点である。
すなわち、この例のＰＤＰ２６の電極配置は、図２１に示すように、図１８の第７実施例の構成に図７の第２実施例の構成が組み合わせられている。この例のＰＤＰ２５の駆動方法は、第７実施例と略同じである。すなわち、走査期間において、プライミング電極１７（Ｓｎ＋１´）、１７（Ｓｎ＋２´）、…に接続された走査電極５（Ｓｎ＋１）に印加する走査パルスＰ８の時間よりも、プライミング電極が接続されない走査電極１７（Ｓｎ＋２）等に印加する走査パルスＰ８の時間を短くするように構成されている。また、この時間の短い走査パルスＰ８の時間は同じである必要はなく、異なる何種類かに設定してもよい。したがって、走査電極５（Ｓｎ＋１）に印加する走査パルスＰ８の時間が長くとも、走査電極５（Ｓｎ＋２）〜（Ｓｎ＋６）に印加する走査パルスＰ８の時間を短くすることで、全体として走査期間を短縮することができる。また、図２０に示したように、走査電極５（Ｓｎ＋１）から分かれるプライミング電極１７をセル（ｎ＋２）からセル（ｎ＋５）まで延長してもよい。この変形例の構成でも同様な効果が得られる。
【００７２】
このように、この例の構成によっても第７実施例と略同様な効果を得ることができる。
【実施例９】
【００７３】
図２２は、この発明の第９実施例であるプラズマ表示装置の主要部を構成するＰＤＰの概略構成を示す側面図である。この例のＰＤＰの構成が、上述した第８実施例の構成と大きく異なるところは、その構成に第３実施例の構成を組み合わせるようにした点である。
すなわち、この例のＰＤＰ２７の電極配置は、図２２に示すように、図２１の第８実施例の構成に図８の第３実施例の構成が組み合わせられている。この例のＰＤＰ２７の駆動方法は、第８実施例と略同じである。すなわち、走査期間において、プライミング電極１７（Ｓｎ＋１´）、１７（Ｓｎ＋２´）、…に接続された走査電極５（Ｓｎ＋１）に印加する走査パルスＰ８の時間よりも、プライミング電極が接続されない走査電極１７（Ｓｎ＋２）等に印加する走査パルスＰ８の時間を短くするように構成されている。また、この時間の短い走査パルス８の時間は同じである必要はなく、異なる何種類かに設定してもよい。したがって、走査電極５（Ｓｎ＋１）に印加する走査パルスＰ８の時間が長くとも、走査電極５（Ｓｎ＋２）〜（Ｓｎ＋６）に印加する走査パルスＰ８の時間を短くすることで、全体として走査期間を短縮することができる。また、図２０に示したように、走査電極５（Ｓｎ＋１）から分かれるプライミング電極１７をセル（ｎ＋２）からセル（ｎ＋５）まで延長してもよい。この変形例の構成でも同様な効果が得られる。
【００７４】
以上、この発明の実施例を図面により詳述してきたが、具体的な構成はこの実施例に限られるものではなく、この発明の要旨を逸脱しない範囲の設計の変更等があってもこの発明に含まれる。例えば、実施例では背面基板２の隔壁１５が井形形状のものに適用した例で説明したが、これに限らず図２３〜図２５に示したように隔壁１５がストライプ形形状のものにも適用することができる。また、実施例では走査電極と維持電極との電極配置が１本ずつ交互に配置されている例で説明したが、この発明の効果を発揮できる電極配置であれば、実施例であげた電極配置以外のものにも適用することができる。
【００７５】
また、第１〜第３実施例、第７〜第９実施例のように、先頭行にプライミング電極が存在するような構成のＰＤＰ及びその駆動方法で、図４に示したように、セル（ｎ−１）が先頭行であるとき、すなわち、セル１であるときは、このセル１に含まれるプライミング電極Ｓ０はどのセルの走査電極とも接続されない独立の電極になっている。このため、先頭行のセルを駆動する際は、先頭行のセル１内の走査電極（Ｓ１）に走査パルスを印加するに先立ち、図２６に示すように、プライミング電極Ｓ０に走査パルスを印加することにより、全てのセルについて走査パルスの時間を短くすることができる。ここで、プライミング電極Ｓ０に走査パルスを印加しない方法もある。この場合は、セル１にはプライミング電極Ｓ０によるプライミング効果は期待できないが、プライミング電圧Ｐ６、Ｐ７の印加からそれほど時間が経過しないうちにセル１には走査パルスＰ８が印加されるので、プライミング電圧によるプライミング効果が期待できる。したがって、全てのセルについて走査パルスの時間を短くしておいても、先頭行のセルに対しても十分に書き込み放電を起こすことができる。
【００７６】
また、全ての実施例において、走査電極から分かれたプライミング電極は、表示面から見えないようにすると、プライミング放電が遮光されるので、特に第２、第３、第５、第６、第８及び第９実施例においてコントラストを向上させることができる。すなわち、コントラスト向上のためには、プライミング電極を可視光を通さない銀等の遮光性金属から構成するか、プライミング電極をＩＴＯ等の透明電極で形成した場合は、前面基板に遮光部を設けるかすると効果的となる。
【図面の簡単な説明】
【００７７】
【図１】この発明の第１実施例であるプラズマ表示装置の主要部を構成するＰＤＰの概略構成を示す斜視断面図である。
【図２】図１のＡ−Ａ矢視断面図である。
【図３】図１のＢ−Ｂ矢視断面図である。
【図４】同ＰＤＰの一部の電極配置の概略構成を示す平面図である。
【図５】同ＰＤＰの駆動方法を概略的に示す側面図である。
【図６】第１、第２及び第３実施例の同ＰＤＰを駆動するための電圧波形の一部を示す図である。
【図７】この発明の第２実施例であるプラズマ表示装置の主要部を構成するＰＤＰ及びその駆動方法を概略的に示す側面図である。
【図８】この発明の第３実施例であるプラズマ表示装置の主要部を構成するＰＤＰの概略構成を示す側面図である。
【図９】この発明の第４実施例であるプラズマ表示装置の主要部を構成するＰＤＰの電極配置の概略構成を示す平面図である。
【図１０】同ＰＤＰの概略構成を示す側面図である。
【図１１】第４、第５及び第６実施例の同ＰＤＰを駆動するための電圧波形の一部を示す図である。
【図１２】同ＰＤＰの変形例を概略的に示す側面図である。
【図１３】この発明の第５実施例であるプラズマ表示装置の主要部を構成するＰＤＰの概略構成を示す側面図である。
【図１４】同ＰＤＰの変形例を概略的に示す側面図である。
【図１５】この発明の第６実施例であるプラズマ表示装置の主要部を構成するＰＤＰの概略構成を示す側面図である。
【図１６】同ＰＤＰの変形例を概略的に示す側面図である。
【図１７】この発明の第７実施例であるプラズマ表示装置の主要部を構成するＰＤＰの電極配置の概略構成を示す平面図である。
【図１８】同ＰＤＰの概略構成を示す側面図である。
【図１９】第７、第８及び第９実施例の同ＰＤＰを駆動するための電圧波形の一部を示す図である。
【図２０】同ＰＤＰの変形例を概略的に示す側面図である。
【図２１】この発明の第８実施例であるプラズマ表示装置の主要部を構成するＰＤＰの概略構成を示す側面図である。
【図２２】この発明の第９実施例であるプラズマ表示装置の主要部を構成するＰＤＰの概略構成を示す側面図である。
【図２３】この発明が適用される他の構成のＰＤＰの概略構成を示す斜視断面図である。
【図２４】図２３のＣ−Ｃ矢視断面図である。
【図２５】図２３のＤ−Ｄ矢視断面図である。
【図２６】同ＰＤＰを駆動するための他の電圧波形を示す図である。
【図２７】一般のＰＤＰの電極配置の概略構成を示す平面図である。
【図２８】同ＰＤＰの一部の電極配置の概略構成を示す平面図である。
【図２９】同ＰＤＰを駆動するための電圧波形を示す図である。
【図３０】同ＰＤＰの駆動方法を概略的に示す図である。
【図３１】一般のＰＤＰの他の電極配置の概略構成を示す平面図である。
【図３２】同ＰＤＰの一部の電極配置の概略構成を示す平面図である。
【図３３】従来のＰＤＰ及びその駆動方法を概略的に示す図である。
【符号の説明】
【００７８】
１    前面基板
２    背面基板
３    放電ガス空間
４    第１の絶縁基板
５    走査電極
５Ａ、６Ａ    透明電極
５Ｂ、６Ｂ    バス電極（トレース電極）
６    維持電極（共通電極）
７    放電ギャップ
８    透明誘電体層
９    保護層
１０、１９、２１〜２７      プラズマディスプレイパネル（ＰＤＰ）
１１    放電セル
１２    第２の絶縁基板
１３    データ電極（アドレス電極）
１４    白色誘電体層
１５    隔壁
１６    蛍光体層
１７    プライミング電極（補助電極）
１８    配線
２０      セル共通電極
【図１】
2005050675.tif 000003
【図２】
2005050675.tif 000004
【図３】
2005050675.tif 000005
【図４】
2005050675.tif 000006
【図５】
2005050675.tif 000007
【図６】
2005050675.tif 000008
【図７】
2005050675.tif 000009
【図８】
2005050675.tif 000010
【図９】
2005050675.tif 000011
【図１０】
2005050675.tif 000012
【図１１】
2005050675.tif 000013
【図１２】
2005050675.tif 000014
【図１３】
2005050675.tif 000015
【図１４】
2005050675.tif 000016
【図１５】
2005050675.tif 000017
【図１６】
2005050675.tif 000018
【図１７】
2005050675.tif 000019
【図１８】
2005050675.tif 000020
【図１９】
2005050675.tif 000021
【図２０】
2005050675.tif 000022
【図２１】
2005050675.tif 000023
【図２２】
2005050675.tif 000024
【図２３】
2005050675.tif 000025
【図２４】
2005050675.tif 000026
【図２５】
2005050675.tif 000027
【図２６】
2005050675.tif 000028
【図２７】
2005050675.tif 000029
【図２８】
2005050675.tif 000030
【図２９】
2005050675.tif 000031
【図３０】
2005050675.tif 000032
【図３１】
2005050675.tif 000033
【図３２】
2005050675.tif 000034
【図３３】
2005050675.tif 000035